(57)【要約】【課題】ネットワークに接続された画像形成装置と情報処理装置とから成る画像形成システムにおいて、画像形成装置または情報処理装置によってユーザに提供することができる画像処理機能のうちユーザが所望の機能を容易に見つけ出し、選択、実行することができる画像形成システムを提供することである。【解決手段】ユーザが画像処理機能の検索に用いる検索キーを入力する検索キー入力手段と、前記検索キー入力手段によって入力された検索キーによって、画像処理手段によって提供される画像処理機能の検索を行う検索手段と、前記検索手段によって検索された画像処理機能を操作画面に表示する検索結果表示手段とを備えたことを特徴とする。【選択図】  図１
2004253888.tif 000002
【特許請求の範囲】
【請求項１】
原稿から画像を読み取って画像データを得る画像読取手段と画像データに基づいて用紙に画像を形成する画像形成手段と画像データに対して画像処理を施す第１の画像処理手段とを有する画像形成装置と、画像データに対して画像処理を施す第２の画像処理手段を有する情報処理装置とをネットワークで接続して成る画像形成システムにおいて、
ユーザが画像処理機能の検索に用いる検索キーを入力する検索キー入力手段と、
前記検索キー入力手段によって入力された検索キーによって、前記第１の画像処理手段によって提供される画像処理機能および前記第２の画像処理手段によって提供される画像処理機能のうち少なくとも前記第２の画像処理手段によって提供される画像処理機能の検索を行う検索手段と、
前記検索手段によって検索された画像処理機能を操作画面に表示する検索結果表示手段と
を備えたことを特徴とする画像形成システム。
【請求項２】
前記検索手段による検索結果を記憶する検索結果記憶手段をさらに有することを特徴とする請求項１に記載の画像形成システム。
【請求項３】
前記検索手段が検索対象と前記検索キーとの関連性を数値化した各検索対象ごとの一致度を出力するものであり、
前記検索結果表示手段が前記検索手段が出力する一致度に基づいて、操作画面の表示レイアウトを変更するものである
ことを特徴とする請求項１または２に記載の画像形成システム。
【発明の詳細な説明】
【０００１】
【発明の属する技術分野】
本発明は画像形成システムに関し、詳しくは画像形成装置と情報処理装置とがネットワークで接続されて成る画像形成システムに関する。
【０００２】
【従来の技術】
従来から、画像が記録された原稿から画像を読み取り画像データとして出力する画像読取手段と、画像データに基づいて用紙等に画像を形成する画像形成手段とを有するディジタル複写機等の画像形成装置がよく知られている。
【０００３】
このような画像形成装置では、たとえば、画像読取手段によって読み取った画像データに対してトリミング等の簡単な画像処理を施し、この画像処理を施した画像データに基づいて画像形成手段が画像形成を行うことができる。
【０００４】
また、従来からネットワーク環境で用いられる画像形成システムが提供されている。
【０００５】
この画像形成システムは、たとえば、ディジタル複写機等の画像形成装置と、この画像形成装置に対して画像のスキャン（読み取り）やプリント（印刷）を指示するパソコンやワークステーション等の情報処理装置とがネットワークで相互に接続されて構成される。また、ネットワークに複数の画像形成装置や複数の情報処理装置が接続される構成もとり得る。
【０００６】
このような画像形成システムにおいては、たとえば情報処理装置から画像形成装置に対して画像の読み取りを指示し、画像形成装置が読み取った画像を情報処理装置に転送するスキャナモードとしての利用法が知られている。
【０００７】
従来の画像形成システムでは、たとえばこのスキャナモードで画像形成装置が読み取った画像の画像データを情報処理装置に転送し、この画像データを受け取った情報処理装置では、画像データを画像ファイルとしてそのままたとえばハードディスクに保存したり、その画像ファイルを必要に応じて画像形成装置に転送して画像形成を行うことができる。
【０００８】
また、特許文献１には、画像データに対して様々な画像処理を施す際に、その画像処理を画像形成装置において施すことや、ネットワークを介して情報処理装置に画像データを転送しこの情報処理装置において画像処理を施すことを可能とした画像形成システムが開示されている。
【０００９】
【特許文献１】
特開２００１−３３３２３７号公報
【発明が解決しようとする課題】
ところが、上述の特許文献１に記載の従来の画像形成システムは画像処理の分散処理や処理機能の拡大を可能としたものであって、ユーザーインタフェースに関する開示がされたものではない。
【００１０】
このため、従来の画像形成システムでは、数多くの種類の画像処理がユーザに提供されるものであった場合、ユーザが目的の画像処理を選択、指示する際の操作が煩雑で使いにくいという問題があった。
【００１１】
また、画像形成装置や情報処理装置によって様々な画像処理機能がユーザに提供されるようになると、豊富な種類の機能がユーザに提供されるのはよいことだが、逆にその種類の多さのため、ユーザが所望の機能を見つけ出すのが大変な手間となってしまうという問題があった。
【００１２】
本発明は上記の点にかんがみてなされたもので、ネットワークに接続された画像形成装置と情報処理装置とから成る画像形成システムにおいて、画像形成装置または情報処理装置によってユーザに提供することができる画像処理機能のうちユーザが所望の機能を容易に見つけ出し、選択、実行することができる画像形成システムを提供することを目的とする。
【００１３】
【課題を解決するための手段】
本発明は上記の目的を達成するために、原稿から画像を読み取って画像データを得る画像読取手段と画像データに基づいて用紙に画像を形成する画像形成手段と画像データに対して画像処理を施す第１の画像処理手段とを有する画像形成装置と、画像データに対して画像処理を施す第２の画像処理手段を有する情報処理装置とをネットワークで接続して成る画像形成システムにおいて、ユーザが画像処理機能の検索に用いる検索キーを入力する検索キー入力手段と、前記検索キー入力手段によって入力された検索キーによって、前記第１の画像処理手段によって提供される画像処理機能および前記第２の画像処理手段によって提供される画像処理機能のうち少なくとも前記第２の画像処理手段によって提供される画像処理機能の検索を行う検索手段と、前記検索手段によって検索された画像処理機能を操作画面に表示する検索結果表示手段とを備えたことを特徴とする。
【００１４】
また本発明は、請求項１に記載の発明において、前記検索手段による検索結果を記憶する検索結果記憶手段をさらに有することを特徴とする。
【００１５】
また本発明は、請求項１または２に記載の発明において、前記検索手段が検索対象と前記検索キーとの関連性を数値化した各検索対象ごとの一致度を出力するものであり、前記検索結果表示手段が前記検索手段が出力する一致度に基づいて、操作画面の表示レイアウトを変更するものであることを特徴とする。
【００１６】
【発明の実施の形態】
以下、本発明の実施の形態を図面を参照して説明する。
【００１７】
ここで、図１を参照して本実施の形態の画像形成システムの構成および基本動作について説明する。
【００１８】
図１は、本発明による画像形成システムの一実施の形態のシステム構成を示すブロック図である。
【００１９】
本実施の形態では、画像形成装置の例として電子写真方式のディジタル複写機を挙げ、情報処理装置の例としてＰＣサーバを挙げて説明する。
【００２０】
図１に示すように、本実施の形態の画像形成システムは、ディジタル複写機１および２とＰＣサーバ３とをネットワーク４で接続して構成される。
【００２１】
ディジタル複写機１および２は、それぞれが単独で原稿の読み取り（スキャン）および画像形成（プリント）が可能なものであり、そのほかに、ネットワーク４に接続されることにより、たとえばディジタル複写機１で読み取った画像をディジタル複写機２に転送しディジタル複写機２で画像形成したり、その逆も可能である。すなわち、ディジタル複写機１や２で読み取った画像をネットワーク４を介して他の装置に転送したり、ネットワーク４を介して他の装置から受け取った画像をディジタル複写機１や２で画像形成したりすることが可能である。
【００２２】
また、本実施の形態は、ネットワーク４にＰＣサーバ３も接続されて構成されている。このＰＣサーバ３は、ディジタル複写機１、２から受け取った画像データに所定の画像処理を施し、送信元に返送することができる。また、たとえば、ディジタル複写機１から受け取った画像データに所定の画像処理を施し、送信元と異なるディジタル複写機２に転送することができるようにしてもかまわない。
【００２３】
図１において、ネットワーク４は、たとえばイーサネット（登録商標）やトークンリング等のＬＡＮやそのほかインターネットなど、どのようなネットワークでもかまわない。ネットワーク４に接続された各装置のそれぞれには、予めネットワーク上のアドレスが設定されており、各装置はこのアドレスによって識別され、ネットワーク４に接続された他の装置との通信を行う。
【００２４】
なお、図１では、画像処理サーバであるＰＣサーバすなわち情報処理装置とディジタル複写機すなわち画像形成装置との数的関係が１対多となっているが、これが１対１、多対１、多対多となってもかまわないことはいうまでもない。
【００２５】
図２は、図１に示したディジタル複写機１の構成を示すブロック図である。
【００２６】
図１に示したディジタル複写機１および２は、本実施の形態に関わる基本構成は同様であるので、ここでは代表してディジタル複写機１について説明する。
【００２７】
ディジタル複写機１は、図１に示したネットワーク４とのインタフェースであるネットワーク接続手段１１と、ディジタル複写機１全体の動作を制御する制御手段１２と、原稿から画像を読み取る画像読取手段１３と、たとえば紙などに画像を形成する画像形成手段１４と、画像読取手段１３が読み取った画像データやディジタル複写機１の動作に必要なパラメータおよびソフトウェアプログラムのほか、ディジタル複写機１の内部で画像データに施す画像処理のソフトウェアプログラム等を記憶する記憶手段１５と、ユーザがディジタル複写機１に対する操作、指示等を入力する入力手段１６と、ユーザに対して様々な情報を表示する表示手段１７とを有して構成される。なお、入力手段１６と表示手段１７とは、タッチパネルのように一体化した操作画面で構成されることもあり得る。本実施の形態ではディジタル複写機１がこの一体化した操作画面を有する場合について説明する。
【００２８】
図３は、図１に示したＰＣサーバ３の構成を示すブロック図である。
【００２９】
ＰＣサーバ３は、図１に示したネットワーク４とのインタフェースであるネットワーク接続手段３１と、ＰＣサーバ３全体の動作を制御する制御手段３２と、ＰＣサーバ３の動作に必要なパラメータおよびソフトウェアプログラムのほか、ＰＣサーバ３にて画像データに施す画像処理のソフトウェアプログラム等を記憶する記憶手段３３と、ＰＣサーバ３の操作者がＰＣサーバ３に対する操作、指示等を入力する入力手段３４と、ＰＣサーバ３の操作者に対して様々な情報を表示する表示手段３５とを有して構成される。
【００３０】
次に、本実施の形態の動作について説明する。
【００３１】
なお、以降の説明において画像処理を施す対象の画像データは、画像読取手段１３で読み取ったものであってもかまわないし、記憶手段１５に予め記憶してあるものでもかまわないし、そのほかネットワーク接続手段１１によって外部から受け取ったものであってもかまわない。
【００３２】
まず、ネットワーク４に接続されたディジタル複写機１や２は、それぞれにおいて、ＰＣサーバ３に対して画像処理プログラムリストの要求を行う。この際に、ディジタル複写機では、画像処理プログラムリストの要求とともに自身の機種情報（たとえば記憶手段１５に予め記憶してある）を送信する。
【００３３】
画像処理プログラムリストは、ＰＣサーバ３において処理可能な画像処理の一覧、すなわちＰＣサーバ３が有する画像処理プログラムの一覧であり、その詳しい内容は後述する。
【００３４】
また、機種情報は、そのディジタル複写機が対応可能な画像処理を特定するために、ＰＣサーバ３が必要とする情報である。この機種情報としては、たとえばカラー機であるかモノクロ機であるかの情報、対応可能な解像度やビット数などがある。
【００３５】
ディジタル複写機から、画像処理プログラムリストの要求および機種情報を受信したＰＣサーバ３では、受信した機種情報とＰＣサーバ３自身が所有する画像処理プログラムの情報（たとえば記憶手段３３に予め記憶してある）とに基づいて画像処理プログラムリストを作成する。
【００３６】
また、ＰＣサーバ３では、画像処理プログラムリストの要求をしてきたディジタル複写機が今まで行った画像処理プログラムごとの利用頻度を記憶しており、画像処理プログラムリストにおいては、この頻度が高いすなわち利用回数が多い画像処理プログラムがたとえば上位にくるようにする。従って、この画像処理プログラムリストを受信したディジタル複写機では、自身を操作するユーザがよく利用する画像処理を知り得ることができ、その情報を自身の操作画面における表示順番等に利用することができる。
【００３７】
画像処理プログラムリストを作成したＰＣサーバ３では、その画像処理プログラムリストを、要求してきたディジタル複写機に対して送信する。
【００３８】
画像処理プログラムリストを受信したディジタル複写機では、そのリストに基づいて、ユーザに提供可能な画像処理を表示する。
【００３９】
図４は、図１に示したディジタル複写機１における操作画面の一例を示す図である。
【００４０】
この図４に示す操作画面２０は、図２に示した入力手段１６および表示手段１７に相当し、画像処理名等が表示されている個所にユーザが触れることによってその旨をディジタル複写機１で検出するタッチパネル入力式の操作画面になっている。
【００４１】
また、図４は、ディジタル複写機１や、ディジタル複写機１にネットワーク４で接続されたＰＣサーバ３によって提供される画像処理機能のうち所望の機能をユーザが選択する機能選択画面を示している。
【００４２】
ディジタル複写機１は、ＰＣサーバ３から受信した画像処理プログラムリストに載っている画像処理や、ディジタル複写機１自身が内部で提供可能な画像処理の種類に基づき、ユーザに提供可能な画像処理機能の名称を、表示手段１７すなわち図４に示す操作画面２０の画像処理名表示エリア２１に表示する。
【００４３】
図４の例では、画像処理名表示エリア２１に、「清書」機能と「汚れ除去」機能と「傾き補正」機能と「フォント変換」機能とを表示している。
【００４４】
このように本実施の形態によれば、ディジタル複写機１は、自身が内部で提供可能な画像処理の情報（たとえば記憶手段１５に予め登録しておく）や、ＰＣサーバ３がディジタル複写機１の機種情報に基づいて作成した画像処理プログラムリストに基づいて、ユーザに提供可能な画像処理名をユーザに向けて表示するため、ユーザは処理不可能な画像処理を選ぶことなく操作上の混乱を避けることができる。
【００４５】
ところで、操作画面２０の画像処理名表示エリア２１のスペース上の問題からすべての画像処理名を１画面に表示することができない場合がある。このため、本実施の形態では次画面ボタン２２を設け、ユーザがこの次画面ボタン２２にタッチすることによって次の画面を表示し、１画面では表示しきれなかった画像処理名を表示することができるようにしている。
【００４６】
また、画像処理名表示エリア２１のどの位置にどの画像処理名を表示するかについては、上述のように画像処理プログラムリストによって知り得る画像処理ごとの利用頻度や、ディジタル複写機１自身が今まで行った画像処理プログラムごとの利用頻度（たとえば記憶手段１５に記憶しておく）に基づいて決定するのがよい。たとえば、最も利用する画像処理は左上に表示し（図４の例では「清書」）、２番目に利用する画像処理は右上に表示し（図４の例では「汚れ除去」）、３番目に利用する画像処理は左下に表示し（図４の例では「傾き補正」）、４番目に利用する画像処理は右下に表示し（図４の例では「フォント変換」）、それ以降の処理は、ユーザが次画面ボタン２２にタッチすることによって遷移する画面において表示する。
【００４７】
所望の画像処理の選択（画像処理機能名が書かれたボタンにタッチ）が完了したならば、ユーザはＯＫボタン２３にタッチすることによって、選択した画像処理の実行をディジタル複写機１に指示することができる。
【００４８】
このように、本実施の形態によれば、ユーザがよく使う画像処理の名称を、ユーザが操作しやすい位置に表示させることができ、使い勝手のよい操作画面を提供することができる。また、選択不可のアイコンは網掛けして表示するので、ユーザが操作上混乱するのを防ぐことができる。
【００４９】
また、本実施の形態では、ユーザが画像処理機能の検索を行うことができるようにしている。なお、この画像処理機能の検索画面は、従来の画像処理機能を表示選択させるだけの画面と別画面にして表示してもよい。
【００５０】
図４に示すように、操作画面２０には検索キー入力欄２４が設けられており、ユーザが、この検索キー入力欄２４に検索キーを入力した上で検索開始ボタン２５にタッチする。ユーザが検索キー入力欄２４へ検索キーを入力する際には、図示しない文字入力用のボタンを用いるようにしてもよい。この入力結果は制御手段１２によって検出される。これが検索キー入力手段である。
【００５１】
ディジタル複写機１の制御手段１２は検索開始ボタン２５へのタッチを検出し、検索キー入力欄２４に入力された文字列を検索キーとし、操作画面２０（次画面ボタン２２にタッチすることによって遷移する画面も含めてすべて）の画像処理名表示エリア２１に表示すべきすべての画像処理機能ごとに、その名称と検索キーとの一致度を計算する。この一致度は検索対象と検索キーとの関連性を数値化したものである。
【００５２】
一致度の計算は次のようにして行うことができる。たとえば、検索キーをわかち書き解析して検索キーの文字列を助詞で分割することによって素検索要素を抽出し、各素検索要素が各画像処理機能の名称内に含まれるかを検索し、含まれる場合をヒットとし、画像処理機能ごとにヒット数の合計を求める。このヒット数の合計を一致度とする。
【００５３】
なお、一致度の算出方法は従来から様々なものが知られており、ここに示したもの以外の方法で一致度を算出してもかまわないことはいうまでもない。
【００５４】
図４に示した例では「採点してソート」という文字列が検索キー入力欄２４に検索キーとして入力されており、この場合では「採点」および「ソート」のそれぞれが素検索要素となる。
【００５５】
なお、上述の例では画像処理機能の名称と検索キーとの一致度を求めるようにしたが、本発明はこれに限られるものではなく、たとえば、画像処理機能ごとに予めキーワードを登録し、これを記憶手段１５に記憶しておき、このキーワードと検索キーとの一致度を計算するようにしてもよい。
【００５６】
以上が検索手段である。
【００５７】
上述のようにして得た画像処理機能ごとの一致度の計算結果の情報やその際の検索キーが何であったかといった情報は、その都度記憶手段１５にデータベースとして蓄積し、統計的に利用することができるようにしている。これが検索結果記憶手段である。このデータベース化した情報は、ユーザニーズを解析するのにも利用でき、たとえば現在の画像形成システムで提供可能な画像処理機能では一致度の低いものしか存在しない検索キーの出現頻度が高い場合には、その検索キーで一致度が高くなるような画像処理機能の提供をユーザが望んでいるわけであるので、それを分析し、新たな画像処理機能の開発、画像処理機能の画像形成システムへの搭載計画に役立てることができる。
【００５８】
続いて制御手段１２では、画像処理機能ごとに計算した一致度が、所定の一致度（しきい値）よりも高い画像処理機能を抽出し、抽出した画像処理機能の名称を操作画面２０に表示する。この際、一致度が高い順に表示順を決定するのが好ましい。なお、所定の一致度よりも一致度が高い画像処理機能を抽出せずに、すべての画像処理機能を一致度が高い順に表示するよう制御するものであってもかまわない。
【００５９】
図５は、図１に示したディジタル複写機１における操作画面の一例を示す図であって、図４に示した操作画面で検索開始ボタン２５にユーザがタッチした後に検索結果を表示する画面を示す図である。
【００６０】
操作画面２０の画像処理名表示エリア２６には、検索結果に基づいて画像処理機能名が表示される。この例は、図４に示したように「採点してソート」という文字列が検索キー入力欄２４に検索キーとして入力された場合であり、この場合では「採点」および「ソート」のそれぞれが素検索要素となり、「採点ソート」という画像処理機能が「採点」および「ソート」という両素検索要素を含んでいるため一致度が２であって最も高いため最上位に表示され、「回転ソート」という画像処理機能が「ソート」という素検索要素を含んでいるため一致度が１であって次に高いため次位に表示される。なお、一致度が等しい画像処理機能が複数存在した場合には、過去の利用頻度がより高いほうを上位に表示するようにすればよい。
【００６１】
このように本実施の形態によれば、検索キーによる検索の際の一致度に基づいて、操作画面の表示レイアウトたとえば画像処理機能名の表示順番を変えることができるので、操作性に優れた画像形成システムを提供することができる。
【００６２】
また、制御手段１２では、画像処理名表示エリア２６に画像処理機能名を表示するとともに、それぞれの画像処理機能の機能説明を機能説明表示エリア２７に表示する。この画像処理機能の機能説明は、予め制御手段１５に記憶しておいたり、予め制御手段３３に記憶しておき、ＰＣサーバ３から受け取る画像処理プログラムリストに含めて、ＰＣサーバ３からディジタル複写機１が受け取るようにしてもよい。
【００６３】
また、操作画面２０の画像処理名表示エリア２６のスペース上の問題から、検索結果の画像処理名を１画面に表示することができない場合がある。このため、本実施の形態では次画面ボタン２８を設け、ユーザがこの次画面ボタン２８にタッチすることによって次の画面を表示し、１画面では表示しきれなかった検索結果の画像処理名を表示することができるようにしている。
【００６４】
以上が検索結果表示手段である。
【００６５】
所望の画像処理の選択（画像処理機能名が書かれたボタンにタッチ）が完了したならば、ユーザはＯＫボタン２３にタッチすることによって、選択した画像処理の実行をディジタル複写機１に指示することができる。
【００６６】
また、本実施の形態では、図５に示す検索結果表示画面において、再検索を行うことができるようにしている。
【００６７】
図５に示すように、操作画面２０には検索キー入力欄２９が設けられており、ユーザが現在の検索結果に満足できず、検索キーを変更したと思ったときには、検索キー入力欄２９に新たな検索キーを入力した上で再検索開始ボタン３０にタッチする。ディジタル複写機１の制御手段１２はこれを検出し、検索キー入力欄２９に入力された文字列を検索キーとして再検索を行う。この再検索は、図４で検索開始ボタン２５にタッチし場合の検索と同様であるので詳しい説明は省略する。
【００６８】
なお、上述の例では、画像処理機能の検索をディジタル複写機１の制御手段１２で行うようにしたが、本発明はこれに限らず、検索をＰＣサーバ３でやるようにしてもよい。
【００６９】
具体的には次のようにすることができる。たとえば、図４に示した操作画面２０において検索キー入力欄２４への検索キーの入力および検索開始ボタン２５へのタッチを制御手段１２が検出した場合、制御手段１２は、ネットワーク接続手段１１およびネットワーク４を介して、検索キー入力欄２４に入力された検索キーと検索を依頼する旨の情報とをＰＣサーバ３に送信し、画像処理機能の検索を依頼する。
【００７０】
ネットワーク４およびネットワーク接続手段３１を介して画像処理機能の検索の依頼およびその際の検索キーを受け取った制御手段３２では、予め記憶手段３３に記憶してある、ＰＣサーバ３自身が提供可能な画像処理機能の名称または画像処理機能ごとに登録したキーワードを、ディジタル複写機１から受け取った検索キーで上述の例と同様に検索する。この際、検索キーやその検索キーで検索した際の一致度やその一致度の画像処理機能名といった検索結果は、記憶手段３２に記憶しておき、上述のように統計的に利用することができる。
【００７１】
また検索結果は、ディジタル複写機１に返信され、ディジタル複写機１において、図５に示した操作画面２０と同様に表示される。
【００７２】
上述の用にしてユーザが所望の画像処理機能を選択した後は、選択された画像処理機能（ソフトウェアでもハードウェアでもかまわない）を提供する装置の制御手段にてその画像処理が実行され、画像処理が施された画像データは必要に応じて画像形成手段１４によって用紙に出力される。
【００７３】
【発明の効果】
以上説明したように、本発明によれば、ネットワークに接続された画像形成装置と情報処理装置とから成る画像形成システムにおいて、画像形成装置または情報処理装置によってユーザに提供することができる画像処理機能のうちユーザが所望の機能を容易に見つけ出し、選択、実行することができる画像形成システムを提供することができる。
【００７４】
また本発明によれば、画像処理機能を検索することができるので、利用したい機能を簡単に見つけることができるようになり、操作性に優れた画像形成システムを提供することができる。また、検索をＰＣサーバで行うようにすれば、検索アルゴリズムの変更等が発生した場合にサーバ側のみを変更すればよく、サーバ側のみという容易な変更によって高機能の検索を開発し次第即座にユーザに提供することができるという効果もある。
【００７５】
また本発明によれば、検索キーやその検索キーで検索した際の一致度やその一致度の画像処理機能名といった検索結果を記憶しておくことによってユーザのニーズを把握することが可能となる。
【００７６】
また本発明によれば、検索キーによる検索の際の一致度に基づいて、操作画面の表示レイアウトたとえば画像処理機能名の表示順番を変えることができるので、操作性に優れた画像形成システムを提供することができる。
【図面の簡単な説明】
【図１】本発明による画像形成システムの一実施の形態のシステム構成を示すブロック図である。
【図２】図１に示したディジタル複写機１の構成を示すブロック図である。
【図３】図１に示したＰＣサーバ３の構成を示すブロック図である。
【図４】図１に示したディジタル複写機１における操作画面の一例を示す図である。
【図５】図１に示したディジタル複写機１における操作画面の一例を示す図であって、図４に示した操作画面で検索開始ボタン２５にユーザがタッチした後に検索結果を表示する画面を示す図である。
【符号の説明】
１、２  ディジタル複写機
１１  ネットワーク接続手段
１２  制御手段
１３  画像読取手段
１４  画像形成手段
１５  記憶手段
１６  入力手段
１７  表示手段
３  ＰＣサーバ
３１  ネットワーク接続手段
３２  制御手段
３３  記憶手段
３４  入力手段
３５  表示手段
４  ネットワーク
２０  操作画面
２１  画像処理名表示エリア
２２  次画面ボタン
２３  ＯＫボタン
２４  検索キー入力欄
２５  検索開始ボタン
２６  画像処理名表示エリア
２７  機能説明表示エリア
２８  次画面ボタン
２９  検索キー入力欄
３０  再検索開始ボタン
【図１】
2004253888.tif 000003
【図２】
2004253888.tif 000004
【図３】
2004253888.tif 000005
【図４】
2004253888.tif 000006
【図５】
2004253888.tif 000007